(57)【要約】      （修正有）【課題】止水性が良く、施工性に優れた簡易構造物を提供する。【解決手段】少なくとも二つの方立５，６と、パネル８と、パネル支持材１３とを備え、二つの方立の対向する一側部側には長手方向にパネル支持部６ａを有し、他側部側には長手方向に被取付部６ｂを有し、被取付部の適宜位置にパネル支持材が取り付けてあり、パネルは、パネル支持部を有する一側部側開口部Ｙと、パネル支持材を有する他側部側開口部Ｚに取り付けてある。【選択図】図４
2019183544.tif 000002
【特許請求の範囲】
【請求項１】
少なくとも二つの方立と、パネルと、パネル支持材とを備え、二つの方立の対向する一側部側には長手方向にパネル支持部を有し、他側部側には長手方向に被取付部を有し、被取付部の適宜位置にパネル支持材が取り付けてあり、パネルは、パネル支持部を有する一側部側開口部と、パネル支持材を有する他側部側開口部に取り付けてあることを特徴とする簡易構造物。
【発明の詳細な説明】
【技術分野】
【０００１】
本発明は、テラス囲い等の簡易構造物に関する。
【背景技術】
【０００２】
従来の簡易構造物は、方立の両側部においてパネルとの間をシールする必要があったため、施工に手間が掛かっていた。
【先行技術文献】
【非特許文献】
【０００３】
【非特許文献１】「晴れもよう３（土間仕様）  施工要領書（ＨＺ０２０２Ｒ）」三協立山株式会社、２０１６年１２月、ｐ．４７，４９，７９
【発明の概要】
【発明が解決しようとする課題】
【０００４】
本発明は上記事情を鑑み、止水性が良く、施工性に優れた簡易構造物を提供することを目的とする。
【課題を解決するための手段】
【０００５】
本発明の簡易構造物は、少なくとも二つの方立と、パネルと、パネル支持材とを備え、二つの方立の対向する一側部側には長手方向にパネル支持部を有し、他側部側には長手方向に被取付部を有し、被取付部の適宜位置にパネル支持材が取り付けてあり、パネルは、パネル支持部を有する一側部側開口部と、パネル支持材を有する他側部側開口部に取り付けてあることを特徴とする。
【発明の効果】
【０００６】
本発明によれば、二つの方立の対向する一側部側は方立とパネル支持部が一体となっているため止水性が良く、シールする必要がないので施工性に優れる。また、方立の他側部側はパネルを取り付ける部分にのみパネル支持材を取り付けることができるため、より施工性に優れる。
【図面の簡単な説明】
【０００７】
【図１】簡易構造物の要部を示す側面図である。
【図２】簡易構造物の斜視図である。
【図３】図１のＡ−Ａ線断面図である。
【図４】図１のＢ−Ｂ線断面図である。
【図５】図１のＣ−Ｃ線断面図である。
【図６】連結具の三面図であり、（ａ）は平面図、（ｂ）は側面図、（ｃ）は正面図である。
【図７】後側方立とパネル支持材を示す平面図である。
【図８】（ａ）（ｂ）は簡易構造物の要部の施工手順を示す図である。
【図９】（ａ）（ｂ）は簡易構造物の要部の施工手順を示す図である。
【図１０】（ａ）（ｂ）は簡易構造物の要部の施工手順を示す図である。
【発明を実施するための形態】
【０００８】
以下、本発明の実施の形態を図面に基づいて説明する。ここでは、本発明の簡易構造物が、図２に示すような、建物の外壁Ｘに隣接して設置されるテラス囲いである場合の実施形態を示す。以下の説明において、建物側を後側、簡易構造物が突出する側を前側とする。また、室内側及び室外側とは、簡易構造物の室内側及び室外側を示す。
【０００９】
簡易構造物は、図１及び図２に示すように、建物の外壁Ｘから間隔をあけて前側に柱１ａ，１ａ、外壁Ｘに当接する後側に躯体方立１ｂ，１ｂを有する。外壁Ｘには戸袋４が設けてある。戸袋４は左右一方の側面から雨戸等を取り出し自在に簡易構造物へ呑み込まれており、一方の躯体方立１ｂは戸袋４によって上下に分断されている。柱１ａと躯体方立１ｂの間には、上端に妻垂木２が架設してあり、下方にはベース材３が架設されて、骨組みされている。なお、妻垂木２は後側から前側に向かって下方へ傾斜している。戸袋４の前側には、後側方立５と前側方立６が間隔を開けて配置されている。前側方立６と後側方立５の下端はベース材３に固定してあり、上端は連結具７を介して妻垂木２に連結してある。躯体方立１ｂと後側方立５、後側方立５と前側方立６、前側方立６と柱１ａによってそれぞれ区画された各開口部には、パネル８を嵌め込んである。また、前側方立６の前側に取り付けられた腕木１２の下方に位置する開口部には、引き違い窓等の開口部建材を取り付けることができる。なお図２において、屋根パネル、垂木、屋根側面パネル、及び開口部建材等は省略して示す。
【００１０】
妻垂木２は、柱１ａと躯体方立１ｂの上端に前後方向に架設してあり、前側に向かって下方へ傾斜している。図３に示すように、下面には下方へ向けて開口する溝部２ａを長手方向に沿って備え、溝部２ａにはパネル８の上縁部が収納される。また、妻垂木２の室外側面には連結具７がネジ止めされている。
【００１１】
ベース材３は、柱１ａと躯体方立１ｂの下方に前後方向に架設してある。図３に示すように、ベース材３上面の室内側端部には、長手方向に沿って取付片３ａが立設しており、取付片３ａの中間部から室外側に向かって方立取付部３ｂが延びている。方立取付部３ｂの上面には方立取付金具１１がネジ止めしてある。方立取付金具１１は側面視略コ字形状であり、開口を上方へ向けてベース材３に取り付けてある。前側方立６及び後側方立５は、この方立取付金具１１に前後方向からネジ止めされてベース材３に固定してある。また、前側方立６と後側方立５の間において、室外側から挿入された下枠９が、ベース材３の取付片３ａへ室内外方向にネジ止めしてある。
【００１２】
戸袋４は、外壁Ｘに設けてあり、一方側の側面から雨戸等を取り出し自在に簡易構造物へ呑み込まれている。戸袋４は後側方立５の後側に位置しており、戸袋４の上面には、後側方立５と躯体方立１ｂとの間に前後方向に戸袋側下枠１０を取り付けてある。
【００１３】
前側方立６と後側方立５は、図４、図５及び図７に示すように、断面略矩形の中空形材であって、両方立５，６の対向する側である一側部側には長手方向にパネル支持部５ａ，６ａを有し、他側部側には長手方向に被取付部５ｂ，６ｂを有する。前側方立６と後側方立５は、パネル支持部５ａ，６ａを対向させて前後対称に配置されている。両方立５，６の上端は水平に直線切りされて連結具７が取り付けてあり、連結具７を介して妻垂木２に固定してある。両方立５，６の下端は、方立取付金具１１を中空部内に収納し、方立取付金具１１にネジ止めされてベース材３に固定してある。
パネル支持部５ａ，６ａは、方立５，６の室外側寄りの位置において、一側部側に向かって延びており、端部には室内側にタイト材が取り付けられる。また、パネル支持部５ａ，６ａの室内側には間隔をあけて二つの係止部５ｃ，６ｃが設けてある。係止部５ｃ，６ｃには平面視略コ字形状の押縁１４が係止され、パネル支持部５ａ，６ａと押縁１４によってパネル８の室内外を挟んで固定する。
被取付部５ｂ，６ｂには、パネル支持材１３や、開口部を区画するための部材が取り付けられる。本実施形態においては、後側方立５の被取付部５ｂには戸袋側下枠１０が取り付けてあり、戸袋側下枠１０上部の被取付部５ｂにはパネル支持材１３がネジ止めしてある。また、前側方立６の被取付部６ｂには腕木１２がネジ止めしてあり、腕木１２上部の被取付部６ｂにはパネル支持材１３、腕木１２下部の被取付部６ｂには開口部建材を嵌め込むための方立調整材１５を取り付けてある。
【００１４】
連結具７は、上下方向の位置を調節可能に前側方立６及び後側方立５にそれぞれ取り付けてあり、傾斜する妻垂木２の下面と水平に直線切りされた方立５，６の上端との隙間を覆うものである。図６（ｂ）に示すように、側面視すると略Ｔ字形状であって、妻垂木２の傾斜に沿って後側から前側に傾斜する傾斜面７ａと、傾斜面７ａの上方に形成された妻垂木固定部７ｂと、傾斜面７ａの下方に形成された方立固定部７ｃからなる。傾斜面７ａには、前側と後側に切欠き部７ｆ，７ｆが設けてある。切欠き部７ｆは、妻垂木２の溝部２ａと対向する位置に設けてあり、パネル８の縁部が挿入される。妻垂木固定部７ｂは、図６（ｃ）に示すように、傾斜面７ａ上面の室外側端部から上方に立設しており、その上端は妻垂木２の傾斜に沿って傾斜している。妻垂木固定部７ｂの室内側面は妻垂木２の室外側面に当接する。また、妻垂木固定部７ｂには前後に二箇所のネジ孔７ｄ，７ｄが設けてあり、室内外方向にネジを螺合して妻垂木２と連結具７とを固定する。方立固定部７ｃは、傾斜面７ａ下面の室外側端部及び室内側端部の二箇所から垂下している。図６（ａ）の破線で示すように、平面視すると略コ字形状であり、室外側と室内側の方立固定部７ｃ，７ｃは互いに開口が対向するように形成してある。前側方立６及び後側方立５の上端部は、方立固定部７ｃ，７ｃによって室内側及び室外側を覆われて連結具７に収納される。また、方立固定部７ｃ，７ｃには、連結具７を方立５，６へ取り付けるための調整孔７ｅが室内外方向に設けてあり、調整孔７ｅは上下方向に延びている。
【００１５】
パネル支持材１３は、図４及び図７に示すように、平面視略Ｌ字形状の部材であって、上下方向に延びており、前後の方立５，６や躯体方立１ｂに取り付けられてパネル８を支持する。パネル支持材１３は、前後の方立５，６の被取付部５ｂ，６ｂや躯体方立１ｂの前側面に沿って取り付けられる取付部１３ａと、取付部１３ａの室外側端部から他側部側に向かって延びる支持部１３ｂから構成される。取付部１３ａの一側部側には長手方向に沿って突条の水切り部１３ｄが室内外方向に間隔をあけて複数設けてあり、水切り部１３ｄが方立５，６とパネル支持材１３との間にあることによって、室内への雨水等の浸入を防ぐ。また、取付部１３ａの他側部側には支持部１３ｂよりも室内側に間隔をあけて二つの係止部１３ｃが設けてある。係止部１３ｃには押縁１４が係止され、支持部１３ｂと押縁１４によってパネル８を室内外から挟んで固定する。
【００１６】
後側方立５、前側方立６、妻垂木２、及び下枠９によって構成される一側部側開口部Ｙにはパネル８が嵌め込まれている。一側部側開口部Ｙにおいてパネル８は、後側方立５及び前側方立６のパネル支持部５ａ，６ａと、係止部５ｃ，６ｃに取り付けられた押縁１４によって、室内外から挟んで固定してある。
躯体方立１ｂ、後側方立５、妻垂木２、及び戸袋側下枠１０によって構成される戸袋４上部の他側部側開口部Ｚにはパネル８が嵌め込まれている。他側部側開口部Ｚにおいてパネル８は、躯体方立１ｂと後側方立５の被取付部５ｂにそれぞれネジ止めされたパネル支持材１３の支持部１３ｂと、係止部１３ｃに取り付けられた押縁１４によって、室内外から挟んで固定してある。
また、前側方立６、妻垂木２及び腕木１２によって構成される腕木１２上部の開口部には、パネル８が嵌め込まれており、パネル８の後側は前側方立６の被取付部６ｂにネジ止めされたパネル支持材１３の支持部１３ｂと、係止部１３ｃに取り付けられた押縁１４によって固定してある。そして、腕木１２下部の開口部には、前側方立６の被取付部６ｂに方立調整材１５が取り付けてあり、開口部建材が取り付け可能となっている。
【００１７】
次に、本発明の簡易構造物の要部の施工手順について説明する。図８（ａ）において、簡易構造物は、柱１ａ，１ａ、躯体方立１ｂ，１ｂ、妻垂木２、及びベース材３等によって骨組みされた状態である。
まず、前側方立６及び後側方立５は、設置位置における妻垂木２とベース材３間の寸法に合わせて、端部を水平に直線切りしておく。前側方立６と後側方立５はどちらを先に設置してもよいが、後側方立５を先に設置する場合、図８（ａ）のように、ベース材３の戸袋４に近接する位置に方立取付金具１１をネジ止めする。後側方立５には、被取付部５ｂに戸袋側下枠１０をネジ止めし、上端に連結具７をネジ止めする。そして、図８（ｂ）に示すように、パネル支持部５ａを前側へ向けて、室外側から室内側に向かって後側方立５を嵌め込む。方立取付金具１１及び後側方立５の下端、並びに、連結具７及び妻垂木２をネジ止めすることにより、後側方立５が固定される。次いで、前側方立６を設置する。図９（ａ）に示すように、前側方立６を設置する位置において、ベース材３に方立取付金具１１をネジ止めする。前側方立６には、被取付部６ｂに腕木１２をネジ止めし、上端に連結具７をネジ止めする。そして、図９（ｂ）に示すように、パネル支持部６ａを後側へ向けて、室外側から室内側に向かって前側方立６を嵌め込む。方立取付金具１１及び前側方立６の下端、並びに、連結具７及び妻垂木２をネジ止めすることにより、前側方立６が固定される。次に、図１０（ａ）に示すように、後側方立５と前側方立６の間に、室外側から室内側に向かって下枠９を嵌め込み、下枠９をベース材３にネジ止めすることによって、戸袋４周りの開口部の骨組みが完了する。次いで、戸袋側下枠１０上部において、後側方立５の被取付部５ｂとこれに対向する躯体方立１ｂの前側面にそれぞれパネル支持材１３をネジ止めすると、戸袋４上部の他側部側開口部Ｚにパネル８を嵌め込み可能となる。そして、図１０（ｂ）に示すように、一側部側開口部Ｙと他側部側開口部Ｚへパネル８を嵌め込んだ後、室内側からパネル支持材１３及び方立５，６の支持部５ｃ，６ｃへ押縁１４を取り付けることによってパネル８を固定する。他の開口部についても同様に施工可能であるが、例えば腕木１２の下部に位置する開口部には、引き違い窓等の開口部建材を取り付けることも可能である。なお本発明は、前側方立６と後側方立５をベース材３へ固定した後は、後側方立５の後側に位置する他側部側開口部Ｚ、両方立５，６間に位置する一側部側開口部Ｙ、又は前側方立６の前側の開口部のいずれからでも施工を行うことができるものであり、上記した施工手順はその一例である。
【００１８】
このように構成した簡易構造物によれば、二つの方立５，６の対向する一側部側は、方立５，６とパネル支持部５ａ，６ａが一体となっているため、止水性が良く、シールする必要がないので施工性に優れる。また、方立５，６の他側部側はパネル８を取り付ける部分にのみパネル支持材１３を取り付けることができるため、より施工性に優れる。
【００１９】
本発明は、上記の実施形態に限らず本発明の要旨を逸脱しない範囲で変更可能である。例えば、建物に戸袋を備える場合に限らず他の障害物が簡易構造物に呑み込まれている場合にも適用可能であり、パネル支持部を有する二つの方立は、簡易構造物の一方の側面に限らず、正面や両側面に配設してもよい。
【符号の説明】
【００２０】
１ａ    柱
１ｂ    躯体方立
２      妻垂木
３      ベース材
４      戸袋
５      後側方立
５ａ    パネル支持部
５ｂ    被取付部
６      前側方立
６ａ    パネル支持部
６ｂ    被取付部
７      連結具
８      パネル
９      下枠
１０      戸袋側下枠
１１      方立取付金具
１２      腕木
１３      パネル支持材
１４      押縁
Ｘ      外壁
Ｙ      一側部側開口部
Ｚ      他側部側開口部
【図１】
2019183544.tif 000003
【図２】
2019183544.tif 000004
【図３】
2019183544.tif 000005
【図４】
2019183544.tif 000006
【図５】
2019183544.tif 000007
【図６】
2019183544.tif 000008
【図７】
2019183544.tif 000009
【図８】
2019183544.tif 000010
【図９】
2019183544.tif 000011
【図１０】
2019183544.tif 000012